(57)【要約】【課題】一旦開封すれば、未開封状態には戻せない情報隠蔽葉書を提供する。【解決手段】情報隠蔽葉書１０の第二領域１４には、折り返し線１２と平行に延びる第一のミシン目１５及び第二のミシン目１６が形成され、さらに、第二のミシン目と平行に延びる第一の切断線１７及び第二の切断線１８が形成されている。第二領域の裏面上には接着層が形成されており、接着層の接着力は、接着層を介して第二領域の裏面と第一領域の裏面とを貼り合わせた後に、第一のミシン目と第二のミシン目との間の領域を切り取る場合には、当該領域のみが切り離され、第二領域の裏面と第一領域の裏面とを剥がそうとすると、第一の切断線及び第二の切断線に沿って第二領域が切断される。【選択図】図１
2008044173.tif 000002
【特許請求の範囲】
【請求項１】
一枚のシートからなる情報隠蔽葉書であって、
前記シートは、折り返し線に沿って折り返し可能であり、前記折り返し線を境界として第一領域と第二領域とを有しており、
前記第二領域には、前記折り返し線と平行に延びる第一のミシン目と、前記折り返し線から離れる方向に前記第一のミシン目と間隔をおいて前記第一のミシン目と平行に延びる第二のミシン目とが形成され、
前記第二領域には、前記折り返し線から離れる方向に前記第二のミシン目と間隔をおいて前記第二のミシン目と平行に延びる第一の切断線と、前記折り返し線から離れる方向に前記第一の切断線と間隔をおいて前記第一の切断線と平行に延びる第二の切断線とが形成されており、
前記第二領域の裏面の全体に接着層が形成されており、
前記接着層の接着力は、前記接着層を介して前記第二領域の前記裏面と前記第一領域の裏面とを貼り合わせた後に、前記第一のミシン目及び前記第二のミシン目に沿って前記第二領域を切断し、前記第一のミシン目と前記第二のミシン目との間の領域を切り取る場合には、前記第一のミシン目と前記第二のミシン目との間の前記領域のみが切り離され、前記領域を切り離すことなく前記第二領域の前記裏面と前記第一領域の前記裏面とを剥がそうとすると、前記第一の切断線及び前記第二の切断線に沿って前記第二領域が切断されるものである情報隠蔽葉書。
【請求項２】
前記第一の切断線及び前記第二の切断線の各々においては、切断部と非切断部とが交互に配列されており、側方から見たときに、前記第一の切断線及び前記第二の切断線の何れか一方の非切断部は他方の切断部により覆われていることを特徴する請求項１に記載の情報隠蔽葉書。
【請求項３】
前記第一の切断線及び前記第二の切断線の何れか一方の前記切断部は他方の切断線から凸となるような円弧形状をなしていることを特徴とする請求項２に記載の情報隠蔽葉書。
【請求項４】
一枚のシートからなる情報隠蔽葉書であって、
前記シートは、折り返し線に沿って折り返し可能であり、前記折り返し線を境界として第一領域と第二領域とを有しており、
前記第二領域には、前記折り返し線と平行に延びる第一のミシン目と、前記折り返し線から離れる方向に前記第一のミシン目と間隔をおいて前記第一のミシン目と平行に延びる第二のミシン目とが形成され、
前記第二領域の裏面の全体に接着層が形成されており、
前記第一領域には、前記接着層を介して前記第一領域の裏面と前記第二領域の前記裏面とを相互に貼り合わせたときに、前記第二のミシン目と前記第二領域の縁との間に挟まれた領域に対応する領域において、閉じた領域を有する少なくとも一つの切断線が形成されており、
前記接着層の接着力は、前記接着層を介して前記第二領域の前記裏面と前記第一領域の前記裏面とを貼り合わせた後に、前記第一のミシン目及び前記第二のミシン目に沿って前記第二領域を切断し、前記第一のミシン目と前記第二のミシン目との間の領域を切り取る場合には、前記第一のミシン目と前記第二のミシン目との間の前記領域のみが切り離され、前記領域を切り離すことなく前記第二領域の前記裏面と前記第一領域の前記裏面とを剥がそうとすると、前記切断線に沿って前記第一領域が切断されるものである情報隠蔽葉書。
【発明の詳細な説明】
【技術分野】
【０００１】
本発明は、葉書の配送中に葉書の本文記載面が第三者に見られてしまうことを防止する情報隠蔽葉書（「シークレット葉書」とも呼ばれる）に関する。
【背景技術】
【０００２】
従来から、葉書の本文記載面が受取人以外の第三者に見られてしまうことを防止するための情報隠蔽葉書が多数提案されている。
【０００３】
そのような情報隠蔽葉書の一つとして特開平８−１８７９７７号公報に記載されたものがある。
【０００４】
図１０（ａ）は同公報に記載された情報隠蔽葉書の表面図、図１０（ｂ）は裏面図、図１０（ｃ）は側面図である。
【０００５】
図１０（ａ）に示すように、同公報に記載された情報隠蔽葉書３０は二つの帳票片３１、３２を有しており、これら二つの帳票片３１、３２は折り返しようのミシン目３３により連接されている。
【０００６】
図１０（ｂ）に示すように、帳票片３１、３２の裏面側の前面には粘着層３４、３５がそれぞれ形成されている。さらに、ミシン目３３と平行な両側縁部の近傍であって、粘着層３４、３５上には、帯状の接着層３８、３９がそれぞれ形成されている。
【０００７】
帳票片３２の裏面側において、接着層３９の近傍には、裁断可能な二つのミシン目３６、３７が所定の間隔を空けてそれぞれミシン目３３と平行に形成されている。ミシン目３７の下端には、三角形状の切り込み４０が形成されている。
【０００８】
ミシン目３６と３７との間に挟まれた領域であって粘着層３５の上部には印刷層４１が設けられている。
【０００９】
情報隠蔽葉書３０の裏面側（図１０（ｂ）に示す側）には、情報（文字）が印字され、その後、帳票片３１、３２の裏面同士が重なるように、ミシン目３３を中心として折り返される。次いで、スリット４２を介して二つの葉書に切り離される。
【００１０】
帳票片３１、３２が相互に押し付けられると、粘着層３４、３５によって、帳票片３１、３２が剥離可能に相互に接着するとともに、接着層３８、３９とが相互に接着され、この領域では帳票片３１、３２は剥離不能に接着される。
【００１１】
また、ミシン目３６、３７との間に挟まれた領域では、この領域に設けられた印刷層４１と、帳票片３１側の粘着層３４とが接着される。このため、この領域の粘着力は、粘着層３４、３５が接着したときの粘着力も弱い。
【００１２】
以上のようにして、帳票片３１と３２とが相互に密着され、帳票片３１、３２の裏面に印字された情報が隠蔽される。
【００１３】
図１１は、帳票片３１と３２とが相互に密着された状態の情報隠蔽葉書３０の平面図である。
【００１４】
情報隠蔽葉書３０の受取人は、図１１に示すように、ミシン目３６、３７が裁断されるように、ミシン目３６、３７で挟まれた部分を帳票片３２から切り離す。この部分の粘着力は他の領域の粘着力よりも弱いので、容易に剥離することができる。
【００１５】
これにより、帳票片３２は、粘着層３４、３５によって帳票片３１に剥離可能に接着されている部分だけとなる。
【００１６】
受取人は、切り込み４０が形成された位置において、帳票片３１のみを把持し、切り込み４０から帳票片３１と３２とを剥離することができる。
【特許文献１】特開８−１８７９７７号公報
【発明の開示】
【発明が解決しようとする課題】
【００１７】
しかしながら、上記の従来の情報隠蔽葉書３０には次のような問題点があった。
【００１８】
第一に、情報の印字は粘着層３４、３５が形成された後に行うため、粘着層３４、３５上に印字を行う必要がある点である。
【００１９】
粘着層３４、３５上に印字を行うと、粘着層３４、３５とインクとが乖離するため、文字が明瞭に印刷できない場合があった。
【００２０】
第二に、粘着層３４、３５と接着層３８、３９とを二重に形成しなければならない点である。
【００２１】
接着層３８、３９は粘着層３４、３５上に形成されるため、接着層３８、３９の下方にある粘着層３４、３５は使用されないことになり、粘着層３４、３５に無駄な部分が生じる結果となっている。
【００２２】
第三に、帳票片３１、３２の双方に接着層３８、３９を形成する点である。
【００２３】
二つの接着層３８、３９を相互に重ね合わせることができれば問題はないが、二つの接着層３８、３９がずれた状態で相互に重ね合わせられると、接着層３８がミシン目３６、３７の間の領域と接着してしまうことがあり、そのような場合には、ミシン目３６、３７を裁断しにくくなってしまう。
【００２４】
本発明はこのような問題に鑑みてなされたものであり、粘着層上に印字を行う必要がなく、粘着層と接着層とを二重に形成する必要がなく、さらに、接着層同士がずれた状態で貼り合わせられるおそれがない情報隠蔽葉書を提供することを目的とする。
【課題を解決するための手段】
【００２５】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００２６】
本発明は、一枚のシート（１１）からなる情報隠蔽葉書（１０）であって、前記シート（１１）は、折り返し線（１２）に沿って折り返し可能であり、前記折り返し線（１２）を境界として第一領域（１３）と第二領域（１４）とを有しており、前記第二領域（１４）には、前記折り返し線（１２）と平行に延びる第一のミシン目（１５）と、前記折り返し線（１２）から離れる方向に前記第一のミシン目（１５）と間隔をおいて前記第一のミシン目（１５）と平行に延びる第二のミシン目（１６）とが形成され、前記第二領域（１４）には、前記折り返し線（１２）から離れる方向に前記第二のミシン目（１６）と間隔をおいて前記第二のミシン目（１６）と平行に延びる第一の切断線（１７）と、前記折り返し線（１２）から離れる方向に前記第一の切断線（１７）と間隔をおいて前記第一の切断線（１７）と平行に延びる第二の切断線（１８）とが形成されており、前記第二領域（１４）の裏面（１４ｂ）の全体に接着層（１９）が形成されており、前記接着層（１９）の接着力は、前記接着層（１９）を介して前記第二領域（１４）の前記裏面（１４ｂ）と前記第一領域（１３）の裏面（１３ｂ）とを貼り合わせた後に、前記第一のミシン目（１５）及び前記第二のミシン目（１６）に沿って前記第二領域（１４）を切断し、前記第一のミシン目（１５）と前記第二のミシン目（１６）との間の領域（２１）を切り取る場合には、前記第一のミシン目（１５）と前記第二のミシン目（１６）との間の前記領域（２１）のみが切り離され、前記領域（２１）を切り離すことなく前記第二領域（１４）の前記裏面（１４ｂ）と前記第一領域（１３）の前記裏面（１３ｂ）とを剥がそうとすると、前記第一の切断線（１７）及び前記第二の切断線（１８）に沿って前記第二領域（１４）が切断されるものである情報隠蔽葉書（１０）を提供する。
【００２７】
本発明の一実施形態においては、前記第一の切断線（１７）及び前記第二の切断線（１８）の各々においては、切断部（１７ａ、１８ａ）と非切断部（１７ｂ、１８ｂ）とが交互に配列されており、側方から見たときに、前記第一の切断線（１７）及び前記第二の切断線（１８）の何れか一方の非切断部（１７ｂ、１８ｂ）は他方の切断部（１７ａ、１８ａ）により覆われている。
【００２８】
本発明の一実施形態においては、前記第一の切断線（１７）及び前記第二の切断線（１８）の何れか一方の前記切断部（１７ａ、１８ａ）は他方の切断線から凸となるような円弧形状をなしている。
【００２９】
さらに、本発明は、一枚のシート（１１）からなる情報隠蔽葉書（５０）であって、前記シート（１１）は、折り返し線（１２）に沿って折り返し可能であり、前記折り返し線（１２）を境界として第一領域（１３）と第二領域（１４）とを有しており、前記第二領域（１４）には、前記折り返し線（１２）と平行に延びる第一のミシン目（１５）と、前記折り返し線（１２）から離れる方向に前記第一のミシン目（１５）と間隔をおいて前記第一のミシン目（１５）と平行に延びる第二のミシン目（１６）とが形成され、前記第二領域（１４）の裏面の全体に接着層（１９）が形成されており、前記第一領域（１３）には、前記接着層（１９）を介して前記第一領域（１３）の裏面（１３ｂ）と前記第二領域（１４）の前記裏面（１４ｂ）とを相互に貼り合わせたときに、前記第二のミシン目（１５）と前記第二領域（１４）の縁（１４ｃ）との間に挟まれた領域に対応する領域において、閉じた領域を有する少なくとも一つの切断線（５１）が形成されており、前記接着層（１９）の接着力は、前記接着層（１９）を介して前記第二領域（１４）の前記裏面（１４ｂ）と前記第一領域（１３）の前記裏面（１３ｂ）とを貼り合わせた後に、前記第一のミシン目（１５）及び前記第二のミシン目（１６）に沿って前記第二領域（１４）を切断し、前記第一のミシン目（１５）と前記第二のミシン目（１６）との間の領域（２１）を切り取る場合には、前記第一のミシン目（１５）と前記第二のミシン目（１６）との間の前記領域（２１）のみが切り離され、前記領域（２１）を切り離すことなく前記第二領域（１４）の前記裏面（１４ｂ）と前記第一領域（１３）の前記裏面（１３ｂ）とを剥がそうとすると、前記切断線（５１）に沿って前記第一領域（１３）が切断されるものである情報隠蔽葉書（５０）を提供する。
【発明の効果】
【００３０】
本発明に係る情報隠蔽葉書によれば、第一のミシン目と第二のミシン目との間に挟まれた領域を切り離すことにより、情報隠蔽葉書の開封が行なわれる。
【００３１】
これに対して、第一のミシン目と第二のミシン目との間に挟まれた領域が切り離されることなく、第二領域が第一の切断線及び第二の切断線において切断されている場合には、情報隠蔽葉書は既に開封されているおそれがある。
【００３２】
このため、受取人が情報隠蔽葉書を受け取った時点において、第一のミシン目と第二のミシン目との間に挟まれた領域が切り離されていなければ、未だ情報隠蔽葉書は未開封であることを確認することができる一方、第一のミシン目と第二のミシン目との間に挟まれた領域が切り離されることなく、第二領域が第一の切断線及び第二の切断線において切断されている場合には、情報隠蔽葉書は既に一旦開封されており、受取人以外の第三者が情報隠蔽葉書の本文を見たことを推定することができる。
【００３３】
さらに、図１０及び図１１に示した従来の情報隠蔽葉書と比較しても、本発明に係る情報隠蔽葉書においては、粘着層上に印字を行う必要はなく、粘着層と接着層とを二重に形成する必要はなく、さらに、接着層同士がずれた状態で貼り合わせられるおそれはない。
【発明を実施するための最良の形態】
【００３４】
（第一の実施形態）
図１は本発明の第一の実施形態に係る情報隠蔽葉書１０の表面の平面図、図２は本発明の第一の実施形態に係る情報隠蔽葉書１０の裏面（剥離紙が貼り付けられていない状態）の平面図、図３は図２のＡ−Ａ線における断面図である。
【００３５】
以下、図１乃至図３を参照して、本発明の第一の実施形態に係る情報隠蔽葉書１０を説明する。
【００３６】
本発明の第一の実施形態に係る情報隠蔽葉書１０は、一枚の紙製のシート１１と、剥離紙（図示せず）と、からなっている。
【００３７】
シート１１の中心線上には折り返し線１２が設けられており、シート１１はこの折り返し線１２に沿って折り返し可能に形成されている。
【００３８】
シート１１は、折り返し線１２を境界として、その左右に第一領域１３と第二領域１４とを有している。第一領域１３と第二領域１４とは相互に同じ大きさを有しており、それぞれ表面１３ａ（図１参照）、１４ａ（図１参照）と裏面１３ｂ（図２参照）、１４ｂ（図２参照）とを有している。第一領域１３と第二領域１４とはともに現在使用されている葉書と同じ大きさである。
【００３９】
第一領域１３の表面１３ａには、切手を貼る枠２０ａと、郵便番号を記入する枠２０ｂとが予め印刷されている。
【００４０】
第二領域１４には、折り返し線１２と平行に延びる第一のミシン目１５と、折り返し線１２から離れる方向に第一のミシン目１５と間隔をおいて第一のミシン目１５と平行に延びる第二のミシン目１６とが形成されている。すなわち、情報隠蔽葉書１０は第一のミシン目１５及び第二のミシン目１６に沿って切断可能である。図１に示すように、第一のミシン目１５及び第二のミシン目１６は、折り返し線１２とは反対側の第二領域１４の辺１４ｃの近傍に形成されている。
【００４１】
さらに、第二領域１４には第一の切断線１７と第二の切断線１８とが形成されている。情報隠蔽葉書１０は、第一のミシン目１５及び第二のミシン目１６と同様に、第一の切断線１７及び第二の切断線１８に沿って切断可能である。
【００４２】
第一の切断線１７は折り返し線１２から離れる方向に第二のミシン目１６と間隔をおいて第二のミシン目１６と平行に延びており、第二の切断線１８は折り返し線１２から離れる方向に第一の切断線１７と間隔をおいて第一の切断線１７と平行に延びている。すなわち、第一の切断線１７及び第二の切断線１８は相互に平行に第二のミシン目１６と第二領域１４の辺１４ｃとの間に形成されている。
【００４３】
図２に示すように、第二領域１４の裏面１４ｂ上には裏面１４ｂの全体を覆う接着層１９（斜線の領域）が形成されている。接着層１９は、例えば、第二領域１４の裏面１４ｂ上に接着剤を塗布することにより、形成される。
【００４４】
接着層１９の接着力は、接着層１９を介して第二領域１４の裏面１４ｂと第一領域１３の裏面１３ｂとを貼り合わせた後に、第一のミシン目１５及び第二のミシン目１６に沿って第二領域１４を切断し、第一のミシン目１５と第二のミシン目１６との間に挟まれた領域２１を切り取る場合には、領域２１のみが切り離され、第二領域１４の裏面１４ｂと第一領域１３の裏面１３ｂとを剥がそうとすると、第一の切断線１７及び第二の切断線１８に沿って第二領域１４が切断されるような接着力に設定されている。
【００４５】
剥離紙（図示せず）は第二領域１４の裏面１４ｂに、すなわち、接着層１９上に貼り付けられている。
【００４６】
次いで、本実施形態に係る情報隠蔽葉書１０の使用方法を以下に説明する。
【００４７】
先ず、第一領域１３の表面１３ａに受取人の宛て名及び氏名を記入または印刷し、第一領域１３の裏面１３ｂに本文を記載または印刷した後、剥離紙（図示せず）を第二領域１４の裏面１４ｂから剥がし取る。
【００４８】
次いで、折り返し線１２を中心として第一領域１３または第二領域１４を折り曲げ、第一領域１３の裏面１３ｂと第二領域１４の裏面１４ｂとを相互に貼り合わせる。これにより、第一領域１３の裏面１３ｂと第二領域１４の裏面１４ｂとは接着層１９を介して相互に貼り合わせられる。
【００４９】
受取人はこの状態で情報隠蔽葉書１０を受け取る。
【００５０】
受取人は、第一のミシン目１５と第二のミシン目１６との間に挟まれた領域２１の一端を持って、第一のミシン目１５と第二のミシン目１６とに沿って、第二領域１４を切断する。
【００５１】
接着層１９の接着力は、上記のように、接着層１９を介して第二領域１４の裏面１４ｂと第一領域１３の裏面１３ｂとを貼り合わせた後に、第一のミシン目１５及び第二のミシン目１６に沿って第二領域１４を切断し、第一のミシン目１５と第二のミシン目１６との間に挟まれた領域２１を切り取る場合には、領域２１のみが切り離されるように設定されているため、受取人は、領域２１のみを切り離すことができる。
【００５２】
なお、この場合には、第二領域１４は第一の切断線１７及び第二の切断線１８においては切断されない。
【００５３】
受取人は、領域２１を切り離した後、領域２１から折り返し線１２の方向に折り返し線１２と第一のミシン目１５との間の第二領域１４を第一領域１３から剥がすことにより、第一領域１３の裏面１３ｂに記載された本文を読むことができる。
【００５４】
本文を読み終わった後は、折り返し線１２と第一のミシン目１５との間の第二領域１４を再び第一領域１３の裏面１３ｂに貼り付けておくことにより、第一領域１３の裏面１３ｂに記載された本文が人の目に触れないようにすることができる。
【００５５】
これに対して、第一のミシン目１５と第二のミシン目１６との間に挟まれた領域２１を切り離すことなく、いきなり、第二領域１４と第一領域１３とを剥がそうとすると、第二領域１４が第一の切断線１７及び第二の切断線１８において切断される。
【００５６】
すなわち、接着層１９の接着力は、上記のように、接着層１９を介して第二領域１４の裏面１４ｂと第一領域１３の裏面１３ｂとを貼り合わせた後に、第二領域１４の裏面１４ｂと第一領域１３の裏面１３ｂとを剥がそうとすると、第一の切断線１７及び第二の切断線１８に沿って第二領域１４が切断されるような接着力に設定されているため、領域２１は切り離されることなく、第一の切断線１７及び第二の切断線１８においてのみ、第二領域１４が切断される。
【００５７】
すなわち、本実施形態に係る情報隠蔽葉書１０においては、情報隠蔽葉書１０の受取人が最初に第一のミシン目１５と第二のミシン目１６との間に挟まれた領域２１を切り離せば、第二領域１４の裏面１４ｂと第一領域１３の裏面１３ｂとを相互に剥がすことができ、第一領域１３の裏面１３ｂに記載された本文を読むことができる。
【００５８】
一方、領域２１を切り離すことなく、最初に第二領域１４と第一領域１３とを、例えば、第二領域１４の角１４ｄから剥がそうとすると、第二領域１４が第一の切断線１７及び第二の切断線１８において切断されることとなる。
【００５９】
このため、情報隠蔽葉書１０の受取人は、第一のミシン目１５及び第二のミシン目１６が破断していない場合には、第一領域１３の裏面１３ｂに記載された本文は隠蔽されたままであることを確認することができる一方、第二領域１４が第一の切断線１７及び第二の切断線１８において破断されている場合には、第一領域１３の裏面１３ｂに記載された本文を誰かが盗み見した可能性があることを知ることができる。
【００６０】
以上のように、本実施形態に係る情報隠蔽葉書１０によれば、第一のミシン目１５と第二のミシン目１６との間に挟まれた領域２１を切り離すことにより、情報隠蔽葉書１０の開封が行なわれ、領域２１を切り離さない限りは、情報隠蔽葉書１０の開封を行うことができない。
【００６１】
これに対して、領域２１が切り離されることなく、第二領域１４が第一の切断線１７及び第二の切断線１８において切断されている場合には、情報隠蔽葉書１０は既に開封されているおそれがある。
【００６２】
このため、受取人が情報隠蔽葉書１０を受け取った時点において、領域２１が切り離されていなければ、未だ情報隠蔽葉書１０は未開封であることを確認することができる一方、領域２１が切り離されることなく、第二領域１４が第一の切断線１７及び第二の切断線１８において切断されている場合、情報隠蔽葉書１０は既に一旦開封されており、受取人以外の第三者が情報隠蔽葉書１０の本文を見たことを推定することができる。
【００６３】
さらに、図１０及び図１１に示した従来の情報隠蔽葉書と比較しても、本実施形態に係る情報隠蔽葉書１０においては、粘着層上に印字を行う必要はなく、粘着層と接着層とを二重に形成する必要はなく、さらに、接着層同士がずれた状態で貼り合わせられるおそれはない。
【００６４】
第一の実施形態に係る情報隠蔽葉書１０は以上のような構成に限定されるものではなく、以下のように、種々の変更を加えることが可能である。
【００６５】
シート１１の中心線には折り返し線１２が設けられているが、折り返し線１２に代えて、第一のミシン目１５及び第二のミシン目１６と同様のミシン目を入れることも可能である。
【００６６】
情報隠蔽葉書１０の開封後においては、第二領域１４は不要となるが（本文は第一領域１３の裏面１３ｂに記載されているので）、シート１１の中心線にミシン目を入れておくことにより、第一領域１３と第二領域１４とを切り離すことが可能になり、第一領域１３のみを保存しておくことが可能になる。
【００６７】
あるいは、シート１１の中心線には単に目印となる線を引いておくことも可能である。この線に沿ってシート１１を折り曲げればよい。
【００６８】
さらに、第二領域１４の表面１４ａに宣伝広告を印刷した場合、第二領域１４の裏面１４ｂには第一接着層１７が形成されているため、切り離した第二領域１４を、例えば、壁に貼り付けて見やすいようにすることも可能になる。
【００６９】
なお、第一の実施形態においては、折り返し線１２はシート１１の中心線に設けたが、折り返し線１２を設ける位置はシート１１の中心線に限定されるものではない。例えば、第一領域１３を第二領域１４よりも大きく形成し、折り返し線１２をシート１１の中心線よりも第二領域１４側に移行させることもできる。
【００７０】
また、第一のミシン目１５と第二のミシン目１６との間に挟まれた領域２１には、周囲の第二領域１４と区別しやすくするために、周囲の第二領域１４とは異なる配色または模様などを施すことができる。これにより、受取人は、第一のミシン目１５及び第二のミシン目１６の代わりに、周囲の第二領域１４とは異なる配色または模様の領域２１を目印として、切り離す領域を見つけ出すことができる。
【００７１】
図４は第一の切断線１７及び第二の切断線１８の例を示す平面図である。
【００７２】
図４（Ａ）は第一の切断線１７及び第二の切断線１８の第一の例を示す。
【００７３】
第一の例においては、第一の切断線１７及び第二の切断線１８の各々は切断部１７ａ、１８ａと非切断部１７ｂ、１８ｂとが交互に連続して配置されている構成を有している。第一の切断線１７における切断部１７ａ及び非切断部１７ｂは第二の切断線１８における切断部１８ａ及び非切断部１８ｂにそれぞれ対向している。
【００７４】
切断部１７ａ、１８ａはシーと１１の全厚さにわたる切り込みからなり、非切断部１７ｂ、１８ｂは全く切り込みが形成されていない領域である。
【００７５】
第一の切断線１７及び第二の切断線１８を図４（Ａ）に示す第一の例のような構造にした場合には、第一の切断線１７及び第二の切断線１８は第一のミシン目１５及び第二のミシン目１６と同じ構成になるが、非切断部１７ｂ、１８ｂの長さを第一のミシン目１５及び第二のミシン目１６における非切断部よりも短くすることにより、領域２１を切り離すことなく、最初に第二領域１４と第一領域１３とを、例えば、第二領域１４の角１４ｄから剥がそうとした場合に、第二領域１４を第一の切断線１７及び第二の切断線１８のみにおいて破断させることができる。
【００７６】
図４（Ｂ）は第一の切断線１７及び第二の切断線１８の第二の例を示す。
【００７７】
第二の例においては、第一の切断線１７及び第二の切断線１８の各々は切断部１７ａ、１８ａと非切断部１７ｂ、１８ｂとが交互に連続して配置されている構成を有しているが、第一の例とは異なり、側方から見たときに、例えば、第二の切断線１８の切断部１８ａは第一の切断線１７の非切断部１７ｂを全体的に覆うように構成されている。同時に、第一の切断線１７の切断部１７ａは第二の切断線１８の非切断部１８ｂを全体的に覆うように構成されている。
【００７８】
第一の切断線１７及び第二の切断線１８をこのように構成することにより、第一の切断線１７及び第二の切断線１８を破断する力がどの方向から作用しても、第一の切断線１７及び第二の切断線１８の何れかが確実に破断される。
【００７９】
図４（Ｃ）は第一の切断線１７及び第二の切断線１８の第三の例を示す。
【００８０】
第三の例においては、図４（Ｂ）に示した第二の例と比較して、第一の切断線１７及び第二の切断線１８の各切断部１７ａ、１８ａは対向する切断線から凸の方向となるような円弧形状をなしている。
【００８１】
第三の例によっても、第二の例と同様の効果を得ることができる。
【００８２】
図４（Ｄ）は第一の切断線１７及び第二の切断線１８の第四の例を示す。
【００８３】
第四の例においては、第一の切断線１７及び第二の切断線１８の各々は切断部１７ａ、１８ａと非切断部１７ｂ、１８ｂとが交互に連続して配置されている構成を有しており、各切断部１７ａ、１８ａは他方の切断線に対して凹の方向となるような円弧形状をなしている。
【００８４】
第四の例によっても、第一の例と同様の効果を得ることができる。
【００８５】
図５及び図６は本実施形態に係る情報隠蔽葉書１０の製造装置を示す概略図である。
【００８６】
以下、図５及び図６を参照して、本実施形態に係る情報隠蔽葉書１０の製造方法を説明する。
【００８７】
図５に示す製造装置はオフセット印刷機である。
【００８８】
先ず、印刷用紙はロール２２から裁断セクション２３に送られ、シート１１の大きさに裁断される。
【００８９】
次いで、印刷用紙は印刷セクション２４に送られ、印刷セクション２４において、第一領域１３の表面１３ａに枠２０ａ、２０ｂが印刷される。第二領域１４の表面１４ａにおける第一のミシン目１５と第二のミシン目１６との間に挟まれた領域２１に周囲の領域とは異なる色を印刷する場合には、印刷セクション２４において、領域２１にその色が印刷される。
【００９０】
この後、印刷用紙は一旦集積される。
【００９１】
図６に示す製造装置はタック印刷機である。
【００９２】
一旦集積された印刷用紙は、接着剤塗布セクション２５に送られ、第二領域１４の裏面１４ｂに接着層１９を形成する接着剤が塗布される。
【００９３】
次いで、印刷用紙は、剥離紙付与セクション２６に送られ、剥離紙付与セクション２６において、第二領域１４の裏面１４ｂに、すなわち、接着層１９上に剥離紙２９が貼り付けられる。
【００９４】
次いで、印刷用紙はミシン目形成セクション２７に送られ、第一のミシン目１５及び第二のミシン目１６が形成され、さらに、第一の切断線１７及び第二の切断線１８が形成される。シート１１の中心線にミシン目を入れる場合には、ミシン目形成セクション２７において、シート１１の中心線にミシン目が形成される。
【００９５】
最後に、折り目セクション２８において、シート１１の中心線に折り目が入れられる。
【００９６】
なお、印刷セクション２４における印刷工程は省略可能である。
【００９７】
（第二の実施形態）
図７は本発明の第二の実施形態に係る情報隠蔽葉書５０の表面の平面図、図８は図７のＢ−Ｂ線における断面図である。
【００９８】
以下、図７及び図８を参照して、本発明の第二の実施形態に係る情報隠蔽葉書５０を説明する。
【００９９】
本実施形態に係る情報隠蔽葉書５０は、第一の実施形態に係る情報隠蔽葉書１０と比較して、第一の切断線１７及び第二の切断線１８に代えて、閉領域切断線５１が形成されている点においてのみ、第一の実施形態に係る情報隠蔽葉書１０と異なり、他の構成は同一である。このため、第一の実施形態に係る情報隠蔽葉書１０と同一の構成要素には同一の参照符号を付する。
【０１００】
図７に示すように、本実施形態に係る情報隠蔽葉書５０においては、第一の切断線１７及び第二の切断線１８は形成されておらず、その代わりに、第一領域１３において、３個の閉領域切断線５１が等間隔に一列に形成されている。
【０１０１】
閉領域切断線５１は円形をなしており、図８に示すように、シート１１の全厚さにわたる切り込みから形成されている。
【０１０２】
３個の閉領域切断線５１の各々は、第一領域１３と第二領域１４とを接着層１９を介して相互に貼り合わせたときに、第二のミシン目１６と第二領域１４の縁１４ｃとの間に挟まれた領域に対応する領域内に形成されている。
【０１０３】
また、本実施形態に係る情報隠蔽葉書５０における接着層１９の接着力は、接着層１９を介して第二領域１４の裏面１４ｂと第一領域１３の裏面１３ｂとを貼り合わせた後に、第一のミシン目１５及び第二のミシン目１６に沿って第二領域１４を切断し、第一のミシン目１５と第二のミシン目１６との間の領域２１を切り取る場合には、領域２１のみが切り離され、領域２１を切り離すことなく第二領域１４の裏面１４ｂと第一領域１３の裏面１３ｂとを剥がそうとすると、閉領域切断線５１に沿って第一領域１３が切断されるように設定されている。
【０１０４】
次いで、本実施形態に係る情報隠蔽葉書５０の使用方法を以下に説明する。
【０１０５】
先ず、第一領域１３の表面１３ａに受取人の宛て名及び氏名を記入または印刷し、第一領域１３の裏面１３ｂに本文を記載または印刷した後、剥離紙（図示せず）を第二領域１４の裏面１４ｂから剥がし取る。
【０１０６】
次いで、折り返し線１２を中心として第一領域１３または第二領域１４を折り曲げ、第一領域１３の裏面１３ｂと第二領域１４の裏面１４ｂとを相互に貼り合わせる。これにより、第一領域１３の裏面１３ｂと第二領域１４の裏面１４ｂとは接着層１９を介して相互に貼り合わせられる。
【０１０７】
受取人はこの状態で情報隠蔽葉書５０を受け取る。
【０１０８】
受取人は、第一のミシン目１５と第二のミシン目１６との間に挟まれた領域２１の一端を持って、第一のミシン目１５と第二のミシン目１６とに沿って、第二領域１４を切断する。
【０１０９】
接着層１９の接着力は、上記のように、接着層１９を介して第二領域１４の裏面１４ｂと第一領域１３の裏面１３ｂとを貼り合わせた後に、第一のミシン目１５及び第二のミシン目１６に沿って第二領域１４を切断し、第一のミシン目１５と第二のミシン目１６との間に挟まれた領域２１を切り取る場合には、領域２１のみが切り離されるように設定されているため、受取人は、領域２１のみを切り離すことができる。
【０１１０】
なお、この場合には、第一領域１３は閉領域切断線５１においては切断されない。
【０１１１】
受取人は、領域２１を切り離した後、領域２１から折り返し線１２の方向に折り返し線１２と第一のミシン目１５との間の第二領域１４を第一領域１３から剥がすことにより、第一領域１３の裏面１３ｂに記載された本文を読むことができる。
【０１１２】
本文を読み終わった後は、折り返し線１２と第一のミシン目１５との間の第二領域１４を再び第一領域１３の裏面１３ｂに貼り付けておくことにより、第一領域１３の裏面１３ｂに記載された本文が人の目に触れないようにすることができる。
【０１１３】
これに対して、第一のミシン目１５と第二のミシン目１６との間に挟まれた領域２１を切り離すことなく、いきなり、第二領域１４と第一領域１３とを剥がそうとすると、第一領域１３が閉領域切断線５１において切断される。
【０１１４】
すなわち、接着層１９の接着力は、上記のように、第一のミシン目１５と第二のミシン目１６との間に挟まれた領域２１を切り離すことなく第二領域１４の裏面１４ｂと第一領域１３の裏面１３ｂとを剥がそうとすると、閉領域切断線５１に沿って第一領域１３が切断されるように設定されているため、領域２１は切り離されることなく、閉領域切断線５１においてのみ、第一領域１３が切断される。
【０１１５】
図９は、領域２１を切り離すことなく第二領域１４の裏面１４ｂと第一領域１３の裏面１３ｂとを剥がした場合の情報隠蔽葉書５０の状態を示す断面図である。
【０１１６】
図９に示すように、領域２１を切り離すことなく第二領域１４の裏面１４ｂと第一領域１３の裏面１３ｂとを剥がすと、閉領域切断線５１に沿って第一領域１３が切断され、閉領域切断線５１に囲まれた部分５２は接着層１９に接着することとなる。
【０１１７】
すなわち、本実施形態に係る情報隠蔽葉書５０においては、情報隠蔽葉書５０の受取人が最初に第一のミシン目１５と第二のミシン目１６との間に挟まれた領域２１を切り離せば、第二領域１４の裏面１４ｂと第一領域１３の裏面１３ｂとを相互に剥がすことができ、第一領域１３の裏面１３ｂに記載された本文を読むことができる。
【０１１８】
一方、領域２１を切り離すことなく、最初に第二領域１４と第一領域１３とを、例えば、第二領域１４の角１４ｄから剥がそうとすると、第一領域１３が閉領域切断線５１において切断されることとなる。
【０１１９】
このため、情報隠蔽葉書５０の受取人は、第一のミシン目１５及び第二のミシン目１６が破断していない場合には、第一領域１３の裏面１３ｂに記載された本文は隠蔽されたままであることを確認することができる一方、第一領域１３が閉領域切断線５１において破断されている場合には、第一領域１３の裏面１３ｂに記載された本文を誰かが盗み見した可能性があることを知ることができる。
【０１２０】
以上のように、本実施形態に係る情報隠蔽葉書５０によれば、第一のミシン目１５と第二のミシン目１６との間に挟まれた領域２１を切り離すことにより、情報隠蔽葉書５０の開封が行なわれ、領域２１を切り離さない限りは、情報隠蔽葉書５０の開封を行うことができない。
【０１２１】
これに対して、領域２１が切り離されることなく、第一領域１３が閉領域切断線５１において切断されている場合には、情報隠蔽葉書５０は既に開封されているおそれがある。
【０１２２】
このため、受取人が情報隠蔽葉書５０を受け取った時点において、領域２１が切り離されていなければ、未だ情報隠蔽葉書５０は未開封であることを確認することができる一方、領域２１が切り離されることなく、第一領域１３が閉領域切断線５１において切断されている場合、情報隠蔽葉書５０は既に一旦開封されており、受取人以外の第三者が情報隠蔽葉書５０の本文を見たことを推定することができる。
【０１２３】
第二の実施形態に係る情報隠蔽葉書５０は以上のような構成に限定されるものではなく、以下のように、種々の変更を加えることが可能である。
【０１２４】
閉領域切断線５１の形状、数及び配列は本実施形態における形状、数及び配列に限定されるものではなく、任意に設定することができる。
【０１２５】
例えば、閉領域切断線５１の形状は、閉じた領域を画定するものであれば、いかなる形状をも選択することができる。例えば、円形以外に、矩形状、楕円形、星型、ハート型などの任意の形状を選択することができる。
【０１２６】
また、閉領域切断線５１の数も３個に限定されるものではなく、少なくとも１個の閉領域切断線５１が形成されていればよく、任意の数を選定することができる。
【０１２７】
さらに、複数個の閉領域切断線５１を形成する場合の配列も直線状の配列に限定されるものではなく、種々の配列を選択することができる。
【０１２８】
また、閉領域切断線５１は連続した切断線のみならず、破断線として形成することも可能である。
【図面の簡単な説明】
【０１２９】
【図１】本発明の第一の実施形態に係る情報隠蔽葉書の表面の平面図である。
【図２】本発明の第一の実施形態に係る情報隠蔽葉書の裏面（剥離紙が貼り付けられていない状態）の平面図である。
【図３】図２のＡ−Ａ線における断面図である。
【図４】第一の切断線及び第二の切断線の例を示す平面図である。
【図５】本発明の第一の実施形態に係る情報隠蔽葉書の製造装置を示す概略図である。
【図６】本発明の第一の実施形態に係る情報隠蔽葉書の製造装置を示す概略図である。
【図７】本発明の第二の実施形態に係る情報隠蔽葉書の表面の平面図である。
【図８】図７のＢ−Ｂ線における断面図である。
【図９】第二領域の裏面と第一領域の裏面とを剥がした場合の本発明の第二の実施形態に係る情報隠蔽葉書の状態を示す断面図である。
【図１０】図１０（ａ）は従来の情報隠蔽葉書の表面図、図１０（ｂ）は裏面図、図１０（ｃ）は側面図である。
【図１１】従来の情報隠蔽葉書における二つの帳票片が相互に密着された状態における従来の情報隠蔽葉書の平面図である。
【符号の説明】
【０１３０】
１０  本発明の第一の実施形態に係る情報隠蔽葉書
１１  シート
１２  折り返し線
１３  第一領域
１３ａ  第一領域の表面
１３ｂ  第一領域の裏面
１４  第二領域
１４ａ  第二領域の表面
１４ｂ  第二領域の裏面
１５  第一のミシン目
１６  第二のミシン目
１７  第一の切断線
１７ａ  切断部
１７ｂ  非切断部
１８  第二の切断線
１８ａ  切断部
１８ｂ  非切断部
１９  接着層
２２  ロール
２３  裁断セクション
２４  印刷セクション
２５  接着剤塗布セクション
２６  剥離紙付与セクション
２７  ミシン目形成セクション
２８  折り目セクション
５０  本発明の第二の実施形態に係る情報隠蔽葉書
５１  閉領域切断線
【図１】
2008044173.tif 000003
【図２】
2008044173.tif 000004
【図３】
2008044173.tif 000005
【図４】
2008044173.tif 000006
【図５】
2008044173.tif 000007
【図６】
2008044173.tif 000008
【図７】
2008044173.tif 000009
【図８】
2008044173.tif 000010
【図９】
2008044173.tif 000011
【図１０】
2008044173.tif 000012
【図１１】
2008044173.tif 000013